(57)【特許請求の範囲】
【請求項１】
複数の回転翼体をそれらの翼面が回転軸芯方向に間隔を隔てて互いに対向するように設け、前記複数の回転翼体を一体に回転させながら、被破砕物をそれらの回転翼体に接触させて破砕するように構成してある破砕装置であって、
前記複数の回転翼体を靱性材料で形成するとともに、それらの回転翼体のうちの前記回転軸芯方向で互いに対向しない部位の表面に耐摩耗性を備えた耐摩耗層を設け、前記耐摩耗層の縁部を、前記回転軸芯方向で互いに対向する対向翼面の周部に盛り上がるように延設して、前記対向翼面に、前記耐摩耗層の縁部で囲まれた凹入部であって、当該対向翼面を覆う被破砕物が入り込む凹入部を形成してある破砕装置。
【発明の詳細な説明】
【０００１】
【発明の属する技術分野】
本発明は、複数の回転翼体をそれらの翼面が回転軸芯方向に間隔を隔てて互いに対向するように設け、前記複数の回転翼体を一体に回転させながら、被破砕物をそれらの回転翼体に接触させて破砕するように構成してある破砕装置に関する。
【０００２】
【従来の技術】
従来の破砕装置では、回転翼体の全体を、クロム鋼等の硬くて耐摩耗性が高いが比較的もろい材料で形成している。
【０００３】
【発明が解決しようとする課題】
この為、回転翼体が被破砕物の破砕中に折損し易い欠点があり、その欠片が破砕物に混じると、被破砕物を次の加工工程で加工する場合に支障をきたすおそれがある。
本発明は上記実情に鑑みてなされたものであって、耐摩耗性を備えながら折損しにくい回転翼体で被破砕物を破砕できるようにすることを目的とする。
【０００４】
【課題を解決するための手段】
請求項１記載の発明の特徴構成は、複数の回転翼体をそれらの翼面が回転軸芯方向に間隔を隔てて互いに対向するように設け、前記複数の回転翼体を一体に回転させながら、被破砕物をそれらの回転翼体に接触させて破砕するように構成してある破砕装置であって、前記複数の回転翼体を靱性材料で形成するとともに、それらの回転翼体のうちの前記回転軸芯方向で互いに対向しない部位の表面に耐摩耗性を備えた耐摩耗層を設け、前記耐摩耗層の縁部を、前記回転軸芯方向で互いに対向する対向翼面の周部に盛り上がるように延設して、前記対向翼面に、前記耐摩耗層の縁部で囲まれた凹入部であって、当該対向翼面を覆う被破砕物が入り込む凹入部を形成してある点にある。
〔作用〕
複数の回転翼体を折損しにくい靱性材料で形成し、それらの回転翼体のうちの、翼面が回転軸芯方向に間隔を隔てて互いに対向するように設けたときに、回転軸芯方向で互いに対向しない部位の表面、つまり、被破砕物に接触しながらその被破砕物に対して相対回転して摩耗し易い部位の表面に耐摩耗性を備えた耐摩耗層を設けるとともに、その耐摩耗層の縁部を、回転軸芯方向で互いに対向する対向翼面の周部に盛り上がるように延設して、対向翼面に耐摩耗層の縁部で囲まれた凹入部を形成し、対向翼面に接触する被破砕物がその凹入部に入り込んで対向翼面とともに回転し易くなるようにして、対向翼面に対して相対回転しにくい被破砕物でその対向翼面を覆うようにすることができる。
〔効果〕
複数の回転翼体を靱性材料で形成して、被破砕物を破砕中に折損しにくくしながら、それらの回転翼体のうちの摩耗し易い部位の摩耗を、その部位の表面に設けた耐摩耗層で防止できるとともに、回転軸芯方向で互いに対向する対向翼面に凹入部を形成し、その凹入部に入り込んだ被破砕物で対向翼面を覆って、対向翼面の摩耗を防止できるので、耐摩耗性を備えながら折損しにくい回転翼体で被破砕物を破砕できる。
また、回転翼体の表面の一部に耐摩耗層を設ければ良いので、耐摩耗層の形成材料を少なくして、回転翼体の製作コストを安くすることができる。
【０００５】
【発明の実施の形態】
以下に本発明の実施の形態を図面に基づいて説明する。
図１は、砂等の骨材と充填材とを所定比率でセメントに混ぜ合わせてあるセメント主材とパルプなどの繊維材とシリカなどの添加剤とからなる粉粒体Ｆを、所定量の水と共に攪拌混合して、セメント瓦の成形原料を調整する加水混合機Ｂを示し、この加水混合機Ｂに、本発明に係る破砕装置Ａを設けてある。
【０００６】
前記加水混合機Ｂは、粉粒体Ｆを収容する円筒状ケーシング１に、粉粒体Ｆを攪拌する攪拌装置Ｃと、粉粒体Ｆに水を噴霧する多数の噴霧装置Ｄとを設けて、ケーシング１に収容した粉粒体Ｆと噴霧装置Ｄで噴霧した水とを攪拌装置Ｃで攪拌混合して、セメント瓦の成形原料を調整するように構成してある。
【０００７】
前記攪拌装置Ｃは、横向き回転軸２を円筒状ケーシング１の内側にケーシング軸芯Ｘと同芯状に支持して、その横向き回転軸２に固定してある多数のショベル状の攪拌羽根３を、モータＭ１による横向き回転軸２の駆動回転で、ケーシング１の内周面に沿って回動させて、粉粒体Ｆと水とを攪拌混合するミキサＥと、図２にも示すように、ケーシング軸芯Ｘに直交する回転軸芯Ｙ周りで回転自在な縦向き回転軸６に一体回転するように固定した破砕具４を、攪拌羽根３の移動に干渉しないように、ケーシング軸芯Ｘ方向で隣り合う攪拌羽根３の移動経路の間に支持して、モータＭ２の駆動による破砕具４の回転で、粉粒体Ｆ中に混じっている粉粒体Ｆの固まり（だま）を破砕する破砕装置（チョッパー）Ａとを設けて構成してある。
【０００８】
前記破砕具４は、図３．図４，図５に示すように、８枚の回転翼体（以下、基部に位置するものから順に、第１回転翼体Ｇ１，第２回転翼体Ｇ２，第３回転翼体Ｇ３，第４回転翼体Ｇ４，第５回転翼体Ｇ５，第６回転翼体Ｇ６，第７回転翼体Ｇ７，第８回転翼体Ｇ８という）Ｇをそれらの翼面５が回転軸芯Ｙ方向に間隔を隔てて互いに対向するように、回転軸芯Ｙ方向で隣り合う回転翼体Ｇどうしを回転軸芯Ｙ周りで９０°の角度差で重ね合わせて、縦向き回転軸６の異径軸部７に回り止め状態で挿通し、それらの回転翼体Ｇを一体に回転させながら、粉粒体（被破砕物の一例）Ｆに接触させて、粉粒体Ｆの固まりを破砕するように構成してある。
【０００９】
前記回転翼体Ｇの各々は、例えばＳＳ４１（ＪＩＳ規格）のような靱性を備えた鋼板（靱性材料の一例）で四隅を切除した略菱形（横長の八角形）の同一形状に形成して、その中心部に異径軸部７を挿通してあり、それらの回転翼体Ｇのうちの回転軸芯Ｙ方向で互いに対向しない部位の表面に耐摩耗性を備えた耐摩耗層８を所定の厚さで設け、耐摩耗層８の縁部９を、回転軸芯Ｙ方向で互いに対向する対向翼面１０の周部に盛り上がるように延設して、対向翼面１０に摩耗層８の縁部９で囲まれた凹入部１１を形成してある。
【００１０】
前記耐摩耗層８は、オープンアーク溶接法或いはサブマージアーク溶接法等により回転翼体（母材）Ｇの表面にタングステンカーバイトやクロームカーバイトなどを主な組成とする耐摩耗性金属を肉盛溶接したものや、プラズマ溶射法あるいはフレーム溶射法等により回転翼体（母材）Ｇの表面に自溶金属を溶射した上でその溶射表面を溶融（ヒュージング）処理したものである。
【００１１】
つまり、回転軸芯Ｙ方向の端部に隣り合わせに組み付ける第１，第２回転翼体Ｇ１，Ｇ２及び第７，第８回転翼体Ｇ７，Ｇ８は、第１回転翼体Ｇ１と第８回転翼体Ｇ８の各々が、第３回転翼体Ｇ３側或いは第６回転翼体Ｇ６側に対向しない非対向翼面１２とその外周端面１３とに亘って、異径軸部７の挿通孔周囲を残して、耐摩耗層８を設けるとともに、その耐摩耗層８を、第３回転翼体Ｇ３側或いは第６回転翼体Ｇ６側に対向する対向翼面１０の周部に、隣り合う回転翼体Ｇとの重なり部分を残して、その対向翼面１０よりも盛り上がるように延設して凹入部１１を形成してあり、第２回転翼体Ｇ２及び第７回転翼体Ｇ７の各々が、第４回転翼体Ｇ４側或いは第５回転翼体Ｇ５側に対向しない非対向翼面１２とその外周端面１３とに亘って、隣り合う回転翼体Ｇとの重なり部分を残して、耐摩耗層８を設けるとともに、その耐摩耗層８を、第４回転翼体Ｇ４側或いは第５回転翼体Ｇ５側に対向する対向翼面１０の周部に、隣り合う回転翼体Ｇとの重なり部分を残して、その対向翼面１０よりも盛り上がるように延設して凹入部１１を形成してある。
【００１２】
また、第３〜第６回転翼体Ｇ３，Ｇ４，Ｇ５，Ｇ６の各々は、両面が回転軸芯Ｙ方向で互いに対向する対向翼面１０であって、その外周端面１３が回転軸芯Ｙ方向で互いに対向しない部位であるので、その外周端面１３に耐摩耗層８を設けるとともに、その耐摩耗層８を、各対向翼面１０の周部に、隣り合う回転翼体Ｇとの重なり部分を残して、その対向翼面１０よりも盛り上がるように延設してある。
【００１３】
〔その他の実施形態〕
１．本発明による破砕装置は、回転翼体をステンレス鋼などの靱性材料で形成してあっても良い。
２．本発明による破砕装置は、隣り合う回転翼体どうしの間にスペーサを挟んで、それらの回転翼体の翼面が回転軸芯方向に間隔を隔てて互いに対向するように設けてあっても良い。
３．本発明による破砕装置は、粉粒体以外に、岩石や鉱石、プラスチック、硬質の廃棄物などを破砕するものであっても良い。
【図面の簡単な説明】
【図１】  加水混合機の一部破断側面図
【図２】  加水混合機の横断面図
【図３】  要部の斜視図
【図４】  要部の一部断面側面図
【図５】  図４のＶ−Ｖ線矢視断面図
【符号の説明】
Ｆ    被破砕物
Ｇ    回転翼体
Ｙ    回転軸芯
５    翼面
８    耐摩耗層
９    縁部
１０  対向翼面
１１  凹入部
【図１】
0004397120.tif 000002
【図２】
0004397120.tif 000003
【図３】
0004397120.tif 000004
【図４】
0004397120.tif 000005
【図５】
0004397120.tif 000006